(57)【要約】      （修正有）【課題】第１タブと第２タブを有する吸収性物品において、第１タブと第２タブをそれぞれ適切な位置に装着できる吸収性物品を提供する。【解決手段】止着部材は第１係合部を有する第１タブ91と第２係合部を有する第２タブ92とを有し、ターゲット領域には第１目印部51と第１目印部よりも後側に位置する第２目印部52とが設けられ、第１目印部は吸収性物品の展開状態における第１タブの幅方向の外端縁に位置する第１外端縁に相似する第１外端図柄511と第１タブの第１外端縁に交差しかつ幅方向に延びる第１交差縁に相似する第１交差図柄512とを有し、第２目印部は展開状態における第２タブの幅方向の外端縁に位置する第２外端縁に相似する第２外端図柄521と第２タブの第２外端縁に交差しかつ幅方向に延びる第２交差縁に相似する第２交差図柄522とを有し、第１目印部と第２目印部は、前後方向に並んで配置されている。【選択図】図６
2020130540.tif 000002
【特許請求の範囲】
【請求項１】
互いに直交する前後方向及び幅方向と、
前記前後方向の中央を含む股下域、前記股下域よりも前側に位置する前胴回り域及び前記股下域よりも後側に位置する後胴回り域と、
少なくとも前記股下域に配置された吸収コアと、
前記後胴回り域において前記幅方向の外側に延出した止着部材と、
前記前胴回り域において前記止着部材が止着するターゲット領域と、を有し、
前記止着部材は、前記ターゲット領域に止着する第１係合部を有する第１タブと、前記第１タブよりも前側に位置し、前記ターゲット領域に止着する第２係合部を有する第２タブと、を有する吸収性物品であって、
前記ターゲット領域には、第１目印部と、前記第１目印部よりも後側に位置する第２目印部と、が設けられており、
前記第１目印部は、前記吸収性物品の展開状態における前記第１タブの前記幅方向の外端縁に位置する第１外端縁に相似する第１外端図柄と、前記第１タブの前記第１外端縁に交差し、かつ前記幅方向に延びる第１交差縁に相似する第１交差図柄と、を有し、
前記第２目印部は、前記展開状態における前記第２タブの前記幅方向の外端縁に位置する第２外端縁に相似する第２外端図柄と、前記第２タブの前記第２外端縁に交差し、かつ前記幅方向に延びる第２交差縁に相似する第２交差図柄と、を有し、
前記第１目印部と前記第２目印部は、前記前後方向に並んで配置されている、吸収性物品。
【請求項２】
前記第１交差図柄及び前記第２交差図柄は、前記幅方向の内側に向かうにつれて前記前後方向において互いに近づくように延びている、請求項１に記載の吸収性物品。
【請求項３】
前記第１目印部と前記第２目印部は、前記前後方向に離間している、請求項１又は請求項２に記載の吸収性物品。
【請求項４】
前記第１目印部及び前記第２目印部の少なくとも一方は、前記吸収コアと重なる領域に配置されている、請求項１から請求項３のいずれか１項に記載の吸収性物品。
【請求項５】
前記第１目印部及び前記第２目印部の少なくとも一方は、前記吸収コアの前端縁を跨がっている、請求項４に記載の吸収性物品。
【請求項６】
前記吸収コアの前端縁は、前記幅方向の内側に向かって後側に延びており、
前記第１交差図柄は、前記幅方向の内側に向かって後側に延びている、請求項１から請求項５のいずれか１項に記載の吸収性物品。
【請求項７】
前記第１目印部は、前記第１係合部に相似する第１係合図柄を有し、
前記第２目印部は、前記第２係合部に相似する第２係合図柄を有する、請求項１から請求項６のいずれか１項に記載の吸収性物品。
【請求項８】
前記第１目印部は、外側第１目印部と、前記外側第１目印部よりも前記幅方向の内側に配置された内側第１目印部と、を有し、
前記第２目印部は、外側第２目印部と、前記外側第２目印部よりも前記幅方向の内側に配置された内側第２目印部と、を有し、
前記外側第１目印部は、前記内側第１目印部に対する色差ΔＥが３．０以上の第１識別部を有し、
前記外側第２目印部は、前記内側第２目印部に対する色差ΔＥが３．０以上の第２識別部を有する、請求項１から請求項７のいずれか１項に記載の吸収性物品。
【請求項９】
前記第１外端図柄の長さは、前記第１外端縁よりも長く、
前記第１交差図柄の長さは、前記第１交差縁よりも長く、
前記第２外端図柄の長さは、前記第２外端縁よりも長く、
前記第２交差図柄の長さは、前記第２交差縁よりも長い、請求項１から請求項８のいずれか１項に記載の吸収性物品。
【発明の詳細な説明】
【技術分野】
【０００１】
本発明は、使い捨ておむつのような吸収性物品に関する。
【背景技術】
【０００２】
特許文献１には、後胴回り域に配置された止着部材と、前胴回り域において止着部材が止着されるターゲット領域と、止着部材の止着位置を示す目印部と、を有する吸収性物品が開示されている。特許文献１の止着部材は、前後方向に離間して配置された第１タブ及び第２タブを有する。目印部は、ターゲット領域の中央に向かって股部側に近づくように斜めに延びる第１ガイド線と、ターゲット領域の中央に向かって股部側から離れるように斜めに延びる第２ガイド線と、を有する。
【先行技術文献】
【特許文献】
【０００３】
【特許文献１】特開２０１２−１００７５２号公報
【発明の概要】
【０００４】
特許文献１の吸収性物品を装着する際は、着用者の背側に後胴回り域を当て、かつ腹側に前胴回り域を当てた状態で、止着部材をターゲット領域に止着する。このとき、第１ガイド線に沿って第１タブを配置し、第２ガイド線に沿って第２タブを配置することができる。
【０００５】
しかし、第１タブのどの部分を第１ガイド線に合わせ、第２タブのどの部分を第２ガイド部に合わせるのは、装着者によって異なり、適切な位置に止着部材を配置できないことがあった。また、装着者によっては、第１タブを合わせる位置と第２タブを合わせる位置とが混同し、適切な位置に止着部材を配置できないことがあった。
【０００６】
よって、第１タブと第２タブを有する吸収性物品において、第１タブと第２タブをそれぞれ適切な位置に装着できる吸収性物品が望まれる。
【課題を解決するための手段】
【０００７】
一態様に係る吸収性物品は、互いに直交する前後方向及び幅方向と、前記前後方向の中央を含む股下域、前記股下域よりも前側に位置する前胴回り域及び前記股下域よりも後側に位置する後胴回り域と、少なくとも前記股下域に配置された吸収コアと、前記後胴回り域において前記幅方向の外側に延出した止着部材と、前記前胴回り域において前記止着部材が止着するターゲット領域と、を有し、前記止着部材は、前記ターゲット領域に止着する第１係合部を有する第１タブと、前記第１タブよりも前側に位置し、前記ターゲット領域に止着する第２係合部を有する第２タブと、を有する吸収性物品であって、前記ターゲット領域には、第１目印部と、前記第１目印部よりも後側に位置する第２目印部と、が設けられており、前記第１目印部は、前記吸収性物品の展開状態における前記第１タブの前記幅方向の外端縁に位置する第１外端縁に相似する第１外端図柄と、前記第１タブの前記第１外端縁に交差し、かつ前記幅方向に延びる第１交差縁に相似する第１交差図柄と、を有し、前記第２目印部は、前記展開状態における前記第２タブの前記幅方向の外端縁に位置する第２外端縁に相似する第２外端図柄と、前記第２タブの前記第２外端縁に交差し、かつ前記幅方向に延びる第２交差縁に相似する第２交差図柄と、を有し、前記第１目印部と前記第２目印部は、前記前後方向に並んで配置されている。
【図面の簡単な説明】
【０００８】
【図１】実施形態に係る吸収性物品を肌面側から見た平面図である。
【図２】実施形態に係る吸収性物品を非肌面側から見た平面図である。
【図３】図１に示すＡ−Ａ線に沿った断面図である。
【図４】止着部材の拡大平面図である。
【図５】目印部の拡大平面図である。
【図６】目印部に止着部材を止着した状態を示した図である。
【発明を実施するための形態】
【０００９】
（１）実施形態の概要
本明細書及び添付図面の記載により、少なくとも以下の事項が明らかとなる。
一態様に係る吸収性物品は、互いに直交する前後方向及び幅方向と、前記前後方向の中央を含む股下域、前記股下域よりも前側に位置する前胴回り域及び前記股下域よりも後側に位置する後胴回り域と、少なくとも前記股下域に配置された吸収コアと、前記後胴回り域において前記幅方向の外側に延出した止着部材と、前記前胴回り域において前記止着部材が止着するターゲット領域と、を有し、前記止着部材は、前記ターゲット領域に止着する第１係合部を有する第１タブと、前記第１タブよりも前側に位置し、前記ターゲット領域に止着する第２係合部を有する第２タブと、を有する吸収性物品であって、前記ターゲット領域には、第１目印部と、前記第１目印部よりも後側に位置する第２目印部と、が設けられており、前記第１目印部は、前記吸収性物品の展開状態における前記第１タブの前記幅方向の外端縁に位置する第１外端縁に相似する第１外端図柄と、前記第１タブの前記第１外端縁に交差し、かつ前記幅方向に延びる第１交差縁に相似する第１交差図柄と、を有し、前記第２目印部は、前記展開状態における前記第２タブの前記幅方向の外端縁に位置する第２外端縁に相似する第２外端図柄と、前記第２タブの前記第２外端縁に交差し、かつ前記幅方向に延びる第２交差縁に相似する第２交差図柄と、を有し、前記第１目印部と前記第２目印部は、前記前後方向に並んで配置されている。
【００１０】
第１目印部が第１タブの交差する２辺（第１外端縁及び第１交差縁）に相似する図柄であり、第２目印部が第２タブの交差する２辺（第２外端縁及び第２交差縁）に相似する図柄である。装着者は、１本の線からなる目印部と比較して、第１タブを第１目印部に合わせる部位、及び第２タブを第２目印部に合わせる部位を適切に把握できる。また、第１目印部と第２目印部は、前後方向に並んで配置されているため、前後方向に並んで配置された第１タブと第２タブのそれぞれを止める位置を混同し難い。よって、それぞれのタブを適切な位置に止めることができる。
【００１１】
好ましい一態様によれば、前記第１交差図柄及び前記第２交差図柄は、前記幅方向の内側に向かうにつれて前記前後方向において互いに近づくように延びてよい。
【００１２】
本態様によれば、幅方向の内側に向かって互いに近づくように第１タブと第２タブを止着できる。第１タブの角度及び第２タブの角度もガイドでき、着用者の腹部の幅方向の中心に対して締め付ける力が強くなるように止着部材を止着できる。
【００１３】
好ましい一態様によれば、前記第１目印部と前記第２目印部は、前記前後方向に離間してよい。
【００１４】
本態様によれば、前後方向に並んで配置された第１タブと第２タブのそれぞれを止める位置をより区別し易くなり、それぞれのタブを適切な位置に止めることができる。
【００１５】
好ましい一態様によれば、前記第１目印部及び前記第２目印部の少なくとも一方は、前記吸収コアと重なる領域に配置されてよい。
【００１６】
本態様によれば、第１タブ及び第２タブの少なくとも一方を止着することにより、吸収コアを押さえることができる。吸収コアの密着性を高め、漏れを抑制できる。
【００１７】
好ましい一態様によれば、前記第１目印部及び前記第２目印部の少なくとも一方は、前記吸収コアの前端縁を跨がってよい。
【００１８】
本態様によれば、第１タブ及び第２タブの少なくとも一方を止着することにより、吸収コアの前端縁を押さえることができる。吸収コアの密着性を高めるとともに、吸収コアの前端縁が身体から浮き上がることによる漏れを抑制できる。
【００１９】
好ましい一態様によれば、前記吸収コアの前端縁は、前記幅方向の内側に向かって後側に延びており、前記第１交差図柄は、前記幅方向の内側に向かって後側に延びてよい。
【００２０】
本態様によれば、第１目印部の第１交差図柄に沿って第１タブが止着されることにより、吸収コアの前端縁の形状に沿うように吸収コアを押さえることができる。吸収コアの前端縁が身体から浮き上がることによる漏れを抑制できる。
【００２１】
好ましい一態様によれば、前記第１目印部は、前記第１係合部に相似する第１係合図柄を有し、前記第２目印部は、前記第２係合部に相似する第２係合図柄を有してよい。
【００２２】
本態様によれば、第１係合部の位置を第１係合図柄に直接合わせ、第２係合部の位置を第２係合図柄に直接合わせることができる。よって、それぞれのタブをより適切な位置に止めることができる。
【００２３】
好ましい一態様によれば、前記第１目印部は、外側第１目印部と、前記外側第１目印部よりも前記幅方向の内側に配置された内側第１目印部と、を有し、前記第２目印部は、外側第２目印部と、前記外側第２目印部よりも前記幅方向の内側に配置された内側第２目印部と、を有し、前記外側第１目印部は、前記内側第１目印部に対する色差ΔＥが３．０以上の第１識別部を有し、前記外側第２目印部は、前記内側第２目印部に対する色差ΔＥが３．０以上の第２識別部を有してよい。
【００２４】
装着者は、着用者の体型等に応じて、外側第１目印部と内側第１目印部を選択するとともに、外側第２目印部と内側第２目印部を選択できる。このとき、装着者は、第１識別部によって外側第１目印部と内側第１目印部を区別し易く、第２識別部によって外側第２目印部と内側第２目印部を区別し易い。よって、外側第１目印部と内側第１目印部を混同することなく、着用者の体型に適した位置に第１タブを止め、外側第２目印部と内側第２目印部を混同することなく、着用者の体型に適した位置に第２タブを止めることができる。
【００２５】
好ましい一態様によれば、前記第１外端図柄の長さは、前記第１外端縁よりも長く、前記第１交差図柄の長さは、前記第１交差縁よりも長く、前記第２外端図柄の長さは、前記第２外端縁よりも長く、前記第２交差図柄の長さは、前記第２交差縁よりも長くてよい。
【００２６】
第１目印部に第１タブを合わせた状態で、第１目印部の全体が第１タブによって覆われず、第２目印部に第２タブを合わせた状態で、第２目印部の全体が第１タブによって覆われない。よって、第１タブ及び第２タブを止着した状態で第１目印部及び第２目印部を視認し、タブの止着位置が適切か否かを判断することができる。必要に応じてタブの止着位置を直し、それぞれのタブを適切な位置に止めることができる。
【００２７】
（２）吸収性物品の実施形態
以下、図面を参照して、実施形態に係る吸収性物品としての使い捨ておむつについて説明する。使い捨ておむつは、大人用の使い捨ておむつであってもよいし、子供用の使い捨ておむつであってもよい。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２８】
図１は、本実施形態に係る吸収性物品１０を肌面側から見た平面図であり、図２は、実施形態に係る吸収コア３０を肌面側から見た平面図である。図３は、図１に示すＡ−Ａ線に沿った断面図である。図１及び図２に示す平面図は、吸収性物品１０を皺が形成されない状態まで伸張させた伸長状態を示している。本実施の形態の吸収性物品１０は、展開型の大人用の吸収性物品であるが、これに限定されない。吸収性物品１０は、子供用の吸収性物品であってもよい。
【００２９】
吸収性物品１０は、互いに直交する前後方向Ｌ及び幅方向Ｗを有する。前後方向Ｌは、身体前側と身体後側とに延びる方向によって規定される。言い換えると、前後方向Ｌは、展開された吸収性物品１０において前後に延びる方向である。また、吸収性物品１０は、前後方向Ｌと幅方向Ｗの両方に直交する厚さ方向Ｔを有する。厚さ方向Ｔは、着用者側に向かう肌面側Ｔ１と、着用者から離れる側の非肌面側Ｔ２と、に延びる。本明細書において、「肌面側」は、使用中に着用者の肌に面する側に相当する。「非肌面側」は、使用中に着用者の肌とは反対に向けられる側に相当する。
【００３０】
吸収性物品１０は、前胴回り域Ｓ１と、後胴回り域Ｓ２と、股下域Ｓ３と、を有する。前胴回り域Ｓ１は、使用時に着用者の身体前側に面する。後胴回り域Ｓ２は、使用時に着用者の身体後側に面する。股下域Ｓ３は、前胴回り域Ｓ１と後胴回り域Ｓ２との間に位置し、使用時に着用者の股下に配置される。股下域Ｓ３は、吸収コア３０によって規定できる。具体的には、くびれ部３１を有する吸収コア３０においては、吸収コア３０のくびれ部３１が形成された領域が、股下域Ｓ３の前後方向Ｌの領域となる。くびれ部３１を有しない吸収コア３０においては、吸収コア３０の前後方向の長さを三等分したうちの中央の領域が、股下域Ｓ３の前後方向Ｌの領域となる。本実施の形態では、吸収コア３０のくびれ部３１の前端縁が、股下域Ｓ３と前胴回り域Ｓ１の境界を規定し、吸収コアのくびれ部３１の後端縁が、股下域Ｓ３と後胴回り域Ｓ２の境界を規定している。
【００３１】
吸収性物品１０は、脚回り開口部６５を有する。脚回り開口部６５は、吸収性物品の本体部（吸収性物品において後述する止着部材９０を除いた部分）の外側縁において幅方向Ｗの内側に凹んだ部分である。なお、本実施の形態において外側縁は、幅方向の外側の端縁であり、内側縁は、幅方向の内側の端縁である。
【００３２】
吸収性物品１０は、少なくとも股下域Ｓ３に配置された吸収コア３０を有する。吸収コア３０は、股下域Ｓ３から前胴回り域Ｓ１及び後胴回り域Ｓ２へ延びていてよい。吸収コア３０は、例えば粉砕パルプもしくは高吸収性ポリマー（ＳＡＰ）、又はこれらの混合物を含む吸収材料の積層体であってよい。吸収性物品１０は、吸収コア３０と、コアラップ（図示せず）と、を含む吸収体を有してよい。コアラップは、吸収コア３０の肌面側と非肌面側を覆うように配置され、例えば、ティッシュや不織布シートであってよい。
【００３３】
吸収性物品１０は、吸収コア３０の肌面側Ｔ１に位置する肌面シート４１と、吸収コア３０の非肌面側Ｔ２に位置する非肌面シート４２と、を有してよい。肌面シート４１は、表面シート４１ａと、サイドシート４１ｂと、を有してよい。表面シート４１ａは、液透過性を有し、吸収コア３０の少なくとも幅方向Ｗの中心を覆うように配置されてよい。サイドシート４１ｂは、疎水性を有する不織布からなり、吸収コア３０の幅方向Ｗの中心よりも幅方向Ｗの外側において、幅方向Ｗにおける表面シート４１ａの両側部を覆うように配置されてよい。非肌面シート４２は、液不透過性を有し、吸収コア３０よりも非肌面側に設けられてよい。非肌面シート４２は、液不透過性のバックフィルム４２ａと、バックフィルム４２ａの非肌面側Ｔ２に配置されたバック不織布４２ｂと、を有してよい。
【００３４】
吸収性物品１０は、後胴回り域Ｓ２の幅方向Ｗの両外側部に設けられた止着部材９０を有してよい。図４は、図１に示す止着部材９０の拡大平面図である。止着部材９０は、前胴回り域Ｓ１に設けられたターゲット領域８０に止着可能に構成されている。止着部材９０は、後胴回り域Ｓ２において本体部から幅方向の両外側にそれぞれ延出している。より詳細には、止着部材９０は、肌面シート４１の外側縁及び非肌面シート４２の外側縁から幅方向の外側に延出している。止着部材９０は、幅方向の両側にそれぞれ配置されており、吸収性物品の幅方向の中心である物品幅中心１０ＣＷに対する線対称であってもよい。
【００３５】
止着部材９０は、後胴回り域Ｓ２の肌面シート４１及び非肌面シート４２に接合されるベース部９５と、ベース部９５に固定された第１タブ９１及び第２タブ９２を有する。ベース部９５は、幅方向に伸縮可能な伸縮部９５Ａを有していてもよい。伸縮部９５Ａを有することにより、第１タブ９１と第２タブ９２を異なる方向や位置に調整して止着し易くなる。
【００３６】
第１タブ９１と第２タブ９２は、前後方向Ｌに並んで配置されている。使い捨ておむつの展開状態において、第２タブ９２は、第１タブ９１よりも前側に配置されている。図６に示すように、使い捨ておむつの装着状態では、第２タブ９２は、第１タブ９１よりも後側に配置される。なお、第１タブ９１と第２タブ９２は、ベース部９５と一体化していてもよい。また、第１タブ９１と第２タブ９２は、部分的に連なっていてもよい。第１タブ９１は、ターゲット領域８０に止着する第１係合部９１３を有する。第２タブ９２は、ターゲット領域８０に止着する第２係合部９２３を有する。
【００３７】
第１タブ９１は、吸収性物品の展開状態（図１及び図４参照）における第１タブ９１の幅方向の外端縁に位置する第１外端縁９１１と、第１タブ９１の第１外端縁９１１に交差し、かつ幅方向に延びる第１交差縁９１２と、を有する。第１交差縁９１２は、第１外端縁９１１の前端縁９１１Ｆから幅方向の内側に延びる前第１交差縁Ｆ９１２と、第１外端縁９１１の後端縁９１１Ｒから幅方向の内側に延びる後第１交差縁Ｒ９１２と、を有する。
【００３８】
第２タブ９２は、吸収性物品の展開状態における第２タブ９２の幅方向の外端縁に位置する第２外端縁９２１と、第２タブ９２の第２外端縁９２１に交差し、かつ幅方向に延びる第２交差縁９２２と、を有する。第２交差縁９２２は、第２外端縁９２１の前端縁９２１Ｆから幅方向の内側に延びる前第２交差縁Ｆ９２２と、第２外端縁９２１の後端縁９２１Ｒから幅方向の内側に延びる後第２交差縁Ｒ９２２と、を有する。第１交差縁９１２及び第２交差縁９２２は、幅方向に延びていればよく、幅方向に平行に延びる構成のみならず、幅方向に対して傾斜する構成も含む。
【００３９】
図２に示すように、ターゲット領域８０は、装着時に、止着部材の第１係合部９１３及び第２係合部９２３が止着される領域である。ターゲット領域８０は、フック部材としての係合部が止着するループ部材を有する領域であってもよいし、非肌面シート４２の全面に係合部が係合可能な構成にあっては、前胴回り域の全体に亘って設けられていてよい。本実施の形態の係合部は、バック不織布４２ｂに止着可能に構成されており、ターゲット領域８０は、バック不織布４２ｂが配置された領域となる。しかし、止着部材９０を適切な位置に止めるためには、一定の範囲に止着部材９０を止めることが好ましく、本実施の形態のターゲット領域８０には、止着部材９０を止める位置の目印となる目印部が設けられている。目印部は、吸収性物品の非肌面側から視認可能に構成されている。目印部は、バックフィルム４２ａに印刷されていてもよいし、バック不織布４２ｂに印刷されていてもよい。
【００４０】
図５は、図２に示す目印部の拡大平面図である。目印部は、第１目印部５１と、第２目印部５２と、を有する。第２目印部５２は、第１目印部５１よりも後側に位置する。第１目印部５１と第２目印部５２は、前後方向Ｌに並んで配置されている。第１目印部５１と第２目印部５２は、一部重なっていてもよいし、離間していてもよい。第１目印部５１は、第１タブ９１の止着位置の目印となる。第１目印部５１は、第１外端縁９１１に相似する第１外端図柄５１１と、第１交差縁９１２に相似する第１交差図柄５１２と、を有する。第１交差図柄５１２は、前第１交差縁Ｆ９１２に相似する前第１交差図柄Ｆ５１２と、後第１交差縁Ｒ９１２に相似する後第１交差図柄Ｒ５１２と、のうち少なくとも一方を有してよい。前第１交差図柄Ｆ５１２は、後第１交差図柄Ｒ５１２よりも後側に位置している。第１外端図柄５１１と第１交差図柄５１２は、連なっていてもよいし、離間してもよい。
【００４１】
第２目印部５２は、第２タブ９２の止着位置の目印となる。第２目印部５２は、第２外端縁９２１に相似する第２外端図柄５２１と、第２交差縁９２２に相似する第２交差図柄５２２と、を有する。第２交差図柄５２２は、前第２交差縁Ｆ９２２に相似する前第２交差図柄Ｆ５２２と、後第２交差縁Ｒ９２２に相似する後第２交差図柄Ｒ５２２と、のうち少なくとも一方を有してよい。前第２交差図柄Ｆ５２２は、後第２交差図柄Ｒ５２２よりも後側に位置している。第２外端図柄５２１と第２交差図柄５２２は、連なっていてもよいし、離間してもよい。
【００４２】
第１目印部５１は、第１外端図柄５１１と、第１交差図柄５１２と、を少なくとも有していればよく、第１タブ９１の外形に相似しない非相似部分を有していてもよい。非相似部分は、例えば、タブの外形と角度や形状が異なる部分である。例えば、第１目印部５１は、第１外端図柄５１１と第１交差図柄５１２との間に非相似部分を有していてもよいし、第１外端図柄５１１に非相似部分が連なっていてもよいし、第１交差図柄５１２に非相似部分が連なっていてもよい。同様に、第２目印部５２は、第２外端図柄５２１と、第２交差図柄５２２と、を少なくとも有していればよく、第２タブ９２の外形に相似しない非相似部分を有していてもよい。例えば、第２目印部５２は、第２外端図柄５２１と第２交差図柄５２２との間に非相似部分を有していてもよいし、第２外端図柄５２１に非相似部分が連なっていてもよいし、第２交差図柄５２２に非相似部分が連なっていてもよい。
【００４３】
第１目印部５１は、第１タブ９１の止着位置を段階的に示すように幅方向Ｗに間隔を空けて複数設けられてよい。第１目印部５１は、外側第１目印部５１Ｘと、外側第１目印部５１Ｘよりも幅方向Ｗの内側に配置された内側第１目印部５１Ｙと、を有してよい。第１目印部５１は、外側第１目印部５１Ｘと内側第１目印部５１Ｙの間に配置された中間第１目印部５１Ｚを有してもよい。外側第１目印部５１Ｘ、内側第１目印部５１Ｙ及び中間第１目印部５１Ｚは、幅方向Ｗに離間していてもよいし、一部が連なっていてもよい。
【００４４】
第２目印部５２は、第２タブ９２の止着位置を段階的に示すように幅方向Ｗに間隔を空けて複数設けられてよい。第２目印部５２は、外側第２目印部５２Ｘと、外側第２目印部５２Ｘよりも幅方向Ｗの内側に配置された内側第２目印部５２Ｙと、を有してよい。第２目印部５２は、外側第２目印部５２Ｘと内側第２目印部５２Ｙの間に配置された中間第２目印部５２Ｚを有してもよい。外側第２目印部５２Ｘ、内側第２目印部５２Ｙ及び中間第２目印部５２Ｚは、幅方向Ｗに離間していてもよいし、一部が連なっていてもよい。
【００４５】
次いで、このように構成された吸収性物品１０の止着部材９０の止着態様について説明する。図６は、止着部材９０がターゲット領域８０に止着した状態を示した図である。具体的には、第１タブ９１を外側第１目印部５１Ｘに合わせて止着し、第２タブ９２を外側第２目印部５２Ｘに合わせて止着している。吸収性物品１０を着用者に装着する際は、後胴回り域Ｓ２を着用者の背側に当て、かつ前胴回り域Ｓ１を着用者の腹側に当てた状態で、止着部材９０を前胴回り域Ｓ１側に引き寄せ、左右それぞれの第１タブ９１と、左右それぞれの第２タブ９２と、をターゲット領域８０に止着する。すなわち、第１タブ９１と第２タブ９２を有する吸収性物品１０は、合計４つのタブをターゲット領域８０に止着する操作を行う。このとき、装着者によっては、上下及び左右に複数のタブがあるため、適切な位置に止着部材９０を配置できないことがあった。また、装着者によっては、第１タブ９１を合わせる位置と第２タブ９２を合わせる位置とが混同し、適切な位置に止着部材を配置できないことがあった。
【００４６】
本実施の形態の吸収性物品１０は、目印部によって装着者がそれぞれのタブが止着される位置を把握できるように構成されている。具体的には、第１目印部５１が第１タブ９１の交差する２辺（第１外端縁及び第１交差縁）に相似する図柄であり、第２目印部５２が第２タブ９２の交差する２辺（第２外端縁及び第２交差縁）に相似する図柄である。装着者は、第１目印部５１の２辺と第１タブの２辺を合わせることができ、第１タブ９１を第１目印部５１に合わせる部位を適切に把握できる。同様に、装着者は、第２目印部５２の２辺と第２タブの２辺を合わせることができ、第２タブ９２を第２目印部５２に合わせる部位を適切に把握できる。また、第１目印部５１と第２目印部５２は、前後方向Ｌに並んで配置されているため、前後方向Ｌに並んだ第１タブ９１と第２タブ９２のそれぞれを止める位置を混同し難い。よって、それぞれのタブを適切な位置に止めることができる。
【００４７】
第１交差図柄５１２及び第２交差図柄５２２は、幅方向Ｗの内側に向かうにつれて前後方向Ｌにおいて互いに近づくように延びてよい。すなわち、第１交差図柄５１２は、幅方向Ｗの内側に向かって後側に延び、第２交差図柄５２２は、幅方向Ｗの内側に向かって前側に延びてよい。幅方向Ｗの内側に向かって互いに近づくように第１タブ９１と第２タブ９２を配置できる。第１タブ９１の角度及び第２タブ９２の角度もガイドでき、着用者の腹部の幅方向Ｗの中心に対して締め付ける力が強くなるように止着部材９０を止着できる。
【００４８】
また、内側第１目印部５１Ｙと内側第２目印部５２Ｙとの前後方向Ｌの距離は、外側第１目印部５１Ｘと外側第２目印部５２Ｘとの前後方向Ｌの距離よりも短くなるように構成されてよい。タブの止着位置を段階的に選択し、物品幅中心１０ＣＷにより近い位置に止着する際に、第１タブ９１と第２タブ９２が近づくように配置でき、着用者の腹部の幅方向の中心に対して締め付ける力が強くなるように止着部材９０を止着できる。
【００４９】
第１目印部５１と第２目印部５２は、前後方向Ｌに離間してよい。当該構成によれば、前後方向Ｌに並んで配置された第１タブ９１と第２タブ９２のそれぞれを止める位置をより区別し易くなり、それぞれのタブを適切な位置に止めることができる。なお、第１目印部５１と第２目印部５２が離間している部分があればよく、第１目印部５１と第２目印部５２の全体に亘って離間してもよいし、第１目印部５１と第２目印部５２の一部が離間してもよい。
【００５０】
第１目印部５１と第２目印部５２は、一部重なっており、装着順序が先のタブを示す目印部が欠けていてよい。すなわち、正しい止着順序で止着された状態で、装着者が見えるタブの状態を目印部によって示してよい。本実施の形態では、第１目印部５１と第２目印部５２が一部重なっており、第２目印部５２は、第２タブ９２の一部が欠けた形状であり、第１目印部５１は、第１タブ９１が欠けていない形状であって、第２目印部５２に重なるように示されている。これによれば、装着者は、タブの正しい止着順序を把握でき、第１タブ９１を第２タブ９２に重ねるように止着する、すなわち、第２タブ９２を止着し、次いで、第１タブ９１を止着することを把握できる。
【００５１】
第１目印部５１は、第１係合部９１３に相似する第１係合図柄５１３を有し、第２目印部５２は、第２係合部９２３に相似する第２係合図柄５２３を有してよい。第１係合部９１３の位置を第１係合図柄５１３に直接合わせ、第２係合部９２３の位置を第２係合図柄５２３に直接合わせることができる。よって、タブの係合部をより適切な位置に止めることができる。第１係合図柄５１３と第２係合図柄５２３は、重なっていないことが好ましい。
【００５２】
第１目印部５１は、第１タブ９１の外形よりも大きくてよく、第２目印部５２は、第１タブ９１の外形よりも大きくてよい。具体的には、第１外端図柄５１１の長さは、第１外端縁９１１よりも長くてよい。第１交差図柄５１２の長さは、第１交差縁９１２よりも長くてよい。第２外端図柄５２１の長さは、第２外端縁９２１よりも長くてよい。第２交差図柄５２２の長さは、第２交差縁９２２よりも長くてよい。図６に示すように、第１目印部５１に第１タブ９１を合わせた状態で、第１目印部５１の全体が第１タブ９１によって覆われず、第２目印部５２に第２タブ９２を合わせた状態で、第２目印部５２の全体が第２タブ９２によって覆われない。よって、第１タブ９１及び第２タブ９２を止着した状態で第１目印部５１及び第２目印部を視認し、タブの止着位置が適切か否かを判断することができる。必要に応じてタブの止着位置を直し、それぞれのタブを適切な位置に止めることができる。
【００５３】
より好適には、第１目印部５１は、第１タブ９１の外形よりも大きい部分と、第１タブ９１の外形よりも小さい部分と、を有してよい。すなわち、第１目印部５１は、第１タブ９１の外縁をまたがる形状であってよい。同様に、第２目印部５２は、第２タブ９２の外形よりも大きい部分と、第２タブ９２の外形よりも小さい部分と、を有してよい。すなわち、第２目印部５２は、第２タブ９２の外縁をまたがる形状であってよい。第１目印部５１に重なるように第１タブ９１を止着できる。加えて、止着した後にも第１目印部５１が見えるため、第１タブ９１の止着位置が適切か否かを判断することができる。同様に、第２目印部５２に重なるように第２タブ９２を止着できる。加えて、止着した後にも第２目印部５２が見えるため、第２タブ９２の止着位置が適切か否かを判断することができる。
【００５４】
目印部が段階的にタブの止着位置を示す形態にあっては、各目印部の見た目を異ならせてもよい。具体的には、外側第１目印部５１Ｘは、内側第１目印部５１Ｙに対する色差ΔＥが３．０以上の第１識別部５１５を有してよい。第１識別部５１５は、中間第１目印部５１Ｚに対する色差ΔＥが３．０以上であってもよい。本実施の形態では、外側第１目印部５１Ｘの第１係合図柄５１３、内側第１目印部５１Ｙの第１係合図柄５１３、及び中間第１目印部５１Ｚの第１係合図柄５１３のそれぞれが、第１識別部５１５として機能し、互いの色差が３．０以上異なる。外側第２目印部５２Ｘは、内側第２目印部５２Ｙに対する色差ΔＥが３．０以上の第２識別部５２５を有してよい。第２識別部５２５は、中間第２目印部５２Ｚに対する色差ΔＥが３．０以上であってもよい。本実施の形態では、外側第２目印部５２Ｘの第２係合図柄５２３、内側第２目印部５２Ｙの第２係合図柄５２３、及び中間第２目印部５２Ｚの第２係合図柄５２３のそれぞれが、第２識別部５２５として機能し、互いの色差が３．０以上異なる。
【００５５】
出願人が種々検討を重ねた結果、使用者は、一般的に色差ΔＥが３．０以上であると、２つの領域を別の領域として認識し易いことがわかった。装着者は、着用者の体型等に応じて、外側第１目印部５１Ｘと内側第１目印部５１Ｙを選択するとともに、外側第２目印部５２Ｘと内側第２目印部５２Ｙを選択できる。このとき、装着者は、第１識別部５１５によって外側第１目印部５１Ｘと内側第１目印部５１Ｙを区別し易く、第２識別部５２５によって外側第２目印部５２Ｘと内側第２目印部５２Ｙを区別し易い。よって、外側第１目印部５１Ｘと内側第１目印部５１Ｙを混同することなく、着用者の体型に適した位置に第１タブ９１を止め、外側第２目印部５２Ｘと内側第２目印部５２Ｙを混同することなく、着用者の体型に適した位置に第２タブ９２を止めることができる。
【００５６】
なお、段階的にタブの止着位置を示す目印部の見た目を異ならせる他の形態としては、各目印部の柄を異ならせてもよいし、線の太さや形状を異ならせてもよい。また、外側第１目印部５１Ｘの第１識別部と外側第２目印部５２Ｘの第２識別部は、同じ色又は絵柄であってもよいし、内側第１目印部５１Ｙの第１識別部と外側第２目印部５２Ｘの第２識別部は、同じ色又は絵柄であってもよい。この構成によれば、第１タブと第２タブを異なる段階（例えば、外側第１目印部５１Ｘと内側第２目印部５２Ｙ）に止着する操作間違いをし難く、第１タブと第２タブを同じ段階（例えば、外側第１目印部５１Ｘと外側第２目印部５２Ｘ）に止着し易い。
【００５７】
第１目印部５１は、物品幅中心１０ＣＷに対する両側にそれぞれ配置され、第２目印部５２は、物品幅中心１０ＣＷに対する両側にそれぞれ配置されている。装着者は、物品幅中心１０ＣＷの両側に左右のタブをそれぞれ止着できる。第１目印部５１及び第２目印部５２は、物品幅中心１０ＣＷに対して線対称であってよい。左右のタブを対称に止着できる。第１目印部５１と第２目印部５２の間には、前後方向に延びる中心目印部５５が設けられていてもよい。中心目印部５５を身体の中心に合わせることにより、より適した位置に吸収性物品１０を装着できる。
【００５８】
第１目印部５１及び第２目印部５２の少なくとも一方は、吸収コアと３０重なる領域に配置されてよい。第１タブ９１及び第２タブ９２の少なくとも一方を止着することにより、吸収コア３０を押さえることができる。吸収コア３０の密着性を高め、漏れを抑制できる。
【００５９】
第１目印部５１及び第２目印部５２は、吸収コア３０の前端縁３０Ｆよりも後側に配置されていてもよい。または、第１目印部５１及び第２目印部５２の少なくとも一方は、吸収コア３０の前端縁３０Ｆを跨がっていてもよい。当該構成によれば、第１タブ９１及び第２タブ９２の少なくとも一方を止着することにより、吸収コア３０の前端縁を押さえることができる。吸収コア３０の密着性を高めるとともに、吸収コア３０の前端縁３０Ｆが身体から浮き上がることによる漏れを抑制できる。
【００６０】
第１交差図柄５１２は、吸収コア３０の前端縁３０Ｆに沿って延びてよい。本実施の形態の吸収コア３０の前端縁３０Ｆは、幅方向Ｗの内側に向かって後側に延びている。すなわち、吸収コア３０の前端縁３０Ｆは、物品幅中心１０ＣＷに向かって後側に湾曲している。第１交差図柄５１２は、幅方向Ｗの内側に向かって後側に延びてよい。第１目印部５１の第１交差図柄５１２に沿って第１タブ９１が止着されることにより、吸収コア３０の前端縁３０Ｆの形状に沿うように吸収コア３０を押さえることができる。吸収コア３０の前端縁３０Ｆが身体から浮き上がることによる漏れを抑制できる。
【００６１】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６２】
本発明によれば、第１タブと第２タブを有する吸収性物品において、第１タブと第２タブをそれぞれ適切な位置に装着できる吸収性物品を提供できる。
【符号の説明】
【００６３】
１０    ：吸収性物品
１０ＣＷ  ：物品幅中心
３０    ：吸収コア
５１    ：第１目印部
５１Ｘ  ：外側第１目印部
５１Ｙ  ：内側第１目印部
５１１  ：第１外端図柄
５１２  ：第１交差図柄
５１３  ：第１係合図柄
５１５  ：第１識別部
５２    ：第２目印部
５２Ｘ  ：外側第２目印部
５２Ｙ  ：内側第２目印部
５２１  ：第２外端図柄
５２２  ：第２交差図柄
５２３  ：第２係合図柄
５２５  ：第２識別部
８０    ：ターゲット領域
９０    ：止着部材
９１    ：第１タブ
９１１  ：第１外端縁
９１２  ：第１交差縁
９１３  ：第１係合部
９２    ：第２タブ
９２１  ：第２外端縁
９２２  ：第２交差縁
９２３  ：第２係合部
Ｓ１    ：前胴回り域
Ｓ２    ：後胴回り域
Ｓ３    ：股下域
Ｌ      ：前後方向
Ｔ      ：厚さ方向
Ｔ１    ：肌面側
Ｔ２    ：非肌面側
Ｗ      ：幅方向
【図１】
2020130540.tif 000003
【図２】
2020130540.tif 000004
【図３】
2020130540.tif 000005
【図４】
2020130540.tif 000006
【図５】
2020130540.tif 000007
【図６】
2020130540.tif 000008